(57)【要約】【課題】  全画像モードと単一画像モードの２つのモードを備え、これらのモードのいずれかを選択することにより、操作を単純化して操作性を向上した画像撮像装置を提供する。【解決手段】  このデジタルカメラ１は、情報を記憶するフラッシュメモリなどの外部記憶装置２１と、ＣＣＤ、ＡＤ変換器など画像情報の入力部である撮像装置２２と、各種情報の表示装置２３と、外部からの入力を行う操作卓２４と、外部プリンタ２とのインタフェースを制御する通信Ｉ／Ｆ部２５と、デジタルカメラ全体を制御する全体制御装置１０を備えて構成される。尚、全体制御装置１０は、ＣＰＵ１０ａ、ＲＯＭ１０ｂ、ＲＡＭ１０ｃ、入出力ポート（Ｉ／Ｏポート）１０ｄ及びこれらを結ぶバスライン１０ｅなどからなる周知のマイクロコンピュータにより構成されている。【選択図】            図１
2005151470.tif 000002
【特許請求の範囲】
【請求項１】
被写体の光学像を撮像手段により光電変換して得られた画像データを情報記録媒体に記憶する画像撮像装置において、
前記撮像手段により撮像された画像データを蓄積する画像蓄積手段と、全ての画像データを選択する全画像モードと１つの画像データを選択する単一画像モードのいずれかを選択するモード選択手段と、該モード選択手段により選択されたモードに基づいて前記画像データを印刷装置に送信する送信手段とを備え、
前記モード選択手段により全画像モードが選択された場合、前記画像蓄積手段に蓄積されている全画像ファイルを前記送信手段により前記印刷装置に送信し、前記モード選択手段により単一画像モードが選択された場合、現在再生表示中の画像ファイルを前記画像蓄積手段から取り出して前記送信手段により前記印刷装置に送信することを特徴とする画像撮像装置。
【請求項２】
前記単一画像モードにより選択された画像データを１枚印刷として出力するためのレイアウト情報を生成するレイアウト情報生成手段を更に備え、
前記モード選択手段により単一画像モードが選択された場合、前記レイアウト情報生成手段により生成されたレイアウト情報を前記送信手段により前記印刷装置に送信した後、現在再生表示中の画像ファイルを前記画像蓄積手段から取り出して前記送信手段により前記印刷装置に送信することを特徴とする請求項１に記載の画像撮像装置。
【請求項３】
前記全画像モードにより選択された画像データを全ファイル印刷として出力するためのレイアウト情報を生成するレイアウト情報生成手段を更に備え、
前記モード選択手段により全画像モードが選択された場合、前記レイアウト情報生成手段により生成されたレイアウト情報を前記送信手段により前記印刷装置に送信した後、前記画像蓄積手段に蓄積されている全画像ファイルを前記画像蓄積手段から取り出して前記送信手段により前記印刷装置に送信することを特徴とする請求項１に記載の画像撮像装置。
【請求項４】
前記画像蓄積手段に蓄積可能な全画像ファイルのサイズ合計を算出するサイズ算出手段と、送信済のファイルサイズを表示するプログレスバー表示手段とを更に備え、
前記モード選択手段により全画像モードが選択された場合、前記サイズ算出手段により全画像ファイルのサイズ合計を算出後、前記プログレスバーを含む送信中画面を表示し、前記レイアウト情報生成手段により生成されたレイアウト情報を前記送信手段により前記印刷装置に送信した後、前記画像蓄積手段に蓄積されている画像ファイルを前記画像蓄積手段から取り出し、該画像ファイルのサイズと前記サイズ算出手段により算出されたサイズ合計から割合を算出して前記プログレスバー表示を更新しつつ、前記画像ファイルを前記送信手段により前記印刷装置に送信することを特徴とする請求項３に記載の画像撮像装置。
【発明の詳細な説明】
【技術分野】
【０００１】
本発明は、画像撮像装置に関し、さらに詳しくは、画像ファイルを外部の印刷装置に送信する画像撮像装置のデータ送信技術に関するものである。
【背景技術】
【０００２】
従来からデジタルカメラに記憶された画像データを印刷する場合、一旦ＰＣ等のメモリにロードしてから、ＰＣのプリンタを使用して画像を印刷するのが一般的な方法であった。しかし、最近ではデジタルカメラから直接プリンタに画像データを出力できるものも発表されている。
特開平１１−４６３３１号公報には、所望の画像を所望の印刷仕様（印刷枚数、印刷用紙サイズ、印刷色）で印刷するために、プリンタに印刷画像データを出力することのできるデジタルカメラについて開示されている。
また特開２０００−５００５２公報には、デジタルカメラ等の画像入力装置に入力された画像だけではなく、画像を出力する際のレイアウト等のデータもプリンタ等の画像出力装置に転送することにより、印刷用紙等に複数の画像を印刷して印刷用紙等を節約できる画像入出力システム、画像入力装置、画像出力装置および画像入出力方法について開示されている。
【特許文献１】特開平１１−４６３３１号公報
【特許文献２】特開２０００−５００５２公報
【発明の開示】
【発明が解決しようとする課題】
【０００３】
しかしながら、特許文献１に開示されている従来技術は、印刷を行うためには印刷枚数、印刷用紙サイズ、印刷色等を指定するために様々な操作が必要であり、操作性が悪く使いづらいといった問題がある。
また特許文献２に開示されている従来技術は、レイアウト等のデータもプリンタに出力することができるが、特許文献１と同様に様々な操作が必要であり、操作性が悪く使いづらいといった問題がある。
本発明は、かかる課題に鑑み、全画像モードと単一画像モードの２つのモードを備え、これらのモードのいずれかを選択することにより、操作を単純化して操作性を向上した画像撮像装置を提供することを目的とする。
【課題を解決するための手段】
【０００４】
本発明はかかる課題を解決するために、請求項１は、被写体の光学像を撮像手段により光電変換して得られた画像データを情報記録媒体に記憶する画像撮像装置において、前記撮像手段により撮像された画像データを蓄積する画像蓄積手段と、全ての画像データを選択する全画像モードと１つの画像データを選択する単一画像モードのいずれかを選択するモード選択手段と、該モード選択手段により選択されたモードに基づいて前記画像データを印刷装置に送信する送信手段とを備え、前記モード選択手段により全画像モードが選択された場合、前記画像蓄積手段に蓄積されている全画像ファイルを前記送信手段により前記印刷装置に送信し、前記モード選択手段により単一画像モードが選択された場合、現在再生表示中の画像ファイルを前記画像蓄積手段から取り出して前記送信手段により前記印刷装置に送信することを特徴とする。
本発明の特徴は、全画像ファイルを送信するモードと１画像ファイルを送信するモードの２つのモードのみを備えた点である。これにより、複雑な操作を省略して操作性を向上するものである。即ち、全画像ファイルを送信するモードが選択されると、画像撮像装置に蓄積された全画像ファイルをプリンタに送信し、１画像ファイルを送信するモードが選択されると、表示中の画像のファイルを取り出して送信する。デジタルカメラの一般的な使われ方は、送信したい画像を表示しながら選択して、その画像を１枚ずつ送信するか、或いは一括で全画像を送信するかの何れかの場合が多い。従って、枚数指定したり、場所を指定したりする煩わしい操作が不要となる。
かかる発明によれば、全画像ファイルを送信するモードと１画像ファイルを送信するモードの２つのモードのみを備えたので、操作の複雑化を回避して操作性を向上することができる。
【０００５】
請求項２は、前記単一画像モードにより選択された画像データを１枚印刷として出力するためのレイアウト情報を生成するレイアウト情報生成手段を更に備え、前記モード選択手段により単一画像モードが選択された場合、前記レイアウト情報生成手段により生成されたレイアウト情報を前記送信手段により前記印刷装置に送信した後、現在再生表示中の画像ファイルを前記画像蓄積手段から取り出して前記送信手段により前記印刷装置に送信することを特徴とする。
本発明は請求項１の発明に更に１枚の画像のレイアウト情報生成手段を備えることにより、画像データを送信する前に、このレイアウト情報を送信しておき、その後画像データを送信するようにする。これにより、１枚の画像データを指定したレイアウトで印刷することができる。
かかる発明によれば、モード選択手段により単一画像モードが選択された場合、レイアウト情報生成手段により生成されたレイアウト情報を送信手段により印刷装置に送信した後、現在再生表示中の画像ファイルを画像蓄積手段から取り出して送信手段により印刷装置に送信するので、１枚の画像データを指定したレイアウトで印刷することができる。
請求項３は、前記全画像モードにより選択された画像データを全ファイル印刷として出力するためのレイアウト情報を生成するレイアウト情報生成手段を更に備え、前記モード選択手段により全画像モードが選択された場合、前記レイアウト情報生成手段により生成されたレイアウト情報を前記送信手段により前記印刷装置に送信した後、前記画像蓄積手段に蓄積されている全画像ファイルを前記画像蓄積手段から取り出して前記送信手段により前記印刷装置に送信することを特徴とする。
本発明は請求項１の発明に更に全画像のレイアウト情報生成手段を備えることにより、画像データを送信する前に、このレイアウト情報を送信しておき、その後画像データを送信するようにする。これにより、全画像の画像データを指定したレイアウトで印刷することができる。
かかる発明によれば、モード選択手段により全画像モードが選択された場合、レイアウト情報生成手段により生成されたレイアウト情報を送信手段により印刷装置に送信した後、画像蓄積手段に蓄積されている全画像ファイルを画像蓄積手段から取り出して送信手段により印刷装置に送信するので、全画像データを指定したレイアウトで印刷することができる。
【０００６】
請求項４は、前記画像蓄積手段に蓄積可能な全画像ファイルのサイズ合計を算出するサイズ算出手段と、送信済のファイルサイズを表示するプログレスバー表示手段とを更に備え、前記モード選択手段が全画像モードを選択した場合、前記サイズ算出手段により全画像ファイルのサイズ合計を算出後、前記プログレスバーを含む送信中画面を表示し、前記レイアウト情報生成手段により生成されたレイアウト情報を前記送信手段により前記印刷装置に送信した後、前記画像蓄積手段に蓄積されている画像ファイルを前記画像蓄積手段から取り出し、該画像ファイルのサイズと前記サイズ算出手段により算出されたサイズ合計から割合を算出して前記プログレスバー表示を更新しつつ、前記画像ファイルを前記送信手段により前記印刷装置に送信することを特徴とする。
本発明は画像データを送信中にプログレスバーを表示して、現在の画像データの送信状況を一目瞭然に解るようにしたものである。これを実現するために、画像蓄積手段のサイズ合計を算出し、現在蓄積されている画像データのサイズとの比からプログレスバーを連続的に更新することにより、送信中の状況がわかるようになる。
かかる発明によれば、画像ファイルのサイズとサイズ算出手段により算出されたサイズ合計から割合を算出してプログレスバー表示を更新しつつ、画像ファイルを送信手段により印刷装置に送信するので、操作者は送信状況が一目瞭然に解り、送信中の不安を払拭することができる。
【発明の効果】
【０００７】
請求項１の発明によれば、全画像ファイルを送信するモードと１画像ファイルを送信するモードの２つのモードのみを備えたので、操作の複雑化を回避して操作性を向上することができる。
また請求項２では、モード選択手段により単一画像モードが選択された場合、レイアウト情報生成手段により生成されたレイアウト情報を送信手段により印刷装置に送信した後、現在再生表示中の画像ファイルを画像蓄積手段から取り出して送信手段により印刷装置に送信するので、１枚の画像データを指定したレイアウトで印刷することができる。
また請求項３では、モード選択手段により全画像モードが選択された場合、レイアウト情報生成手段により生成されたレイアウト情報を送信手段により印刷装置に送信した後、画像蓄積手段に蓄積されている全画像ファイルを画像蓄積手段から取り出して送信手段により印刷装置に送信するので、全画像データを指定したレイアウトで印刷することができる。
また請求項４では、画像ファイルのサイズとサイズ算出手段により算出されたサイズ合計から割合を算出してプログレスバー表示を更新しつつ、画像ファイルを送信手段により印刷装置に送信するので、操作者は送信状況が一目瞭然に解り、送信中の不安を払拭することができる。
【発明を実施するための最良の形態】
【０００８】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の一実施形態によるデジタルカメラのブロック図である。このデジタルカメラ１は、情報を記憶するフラッシュメモリなどの外部記憶装置２１と、ＣＣＤ、ＡＤ変換器など画像情報の入力部である撮像装置２２と、各種情報の表示装置２３と、外部からの入力を行う操作卓２４と、外部プリンタ２とのインタフェースを制御する通信Ｉ／Ｆ部２５と、デジタルカメラ全体を制御する全体制御装置１０を備えて構成される。尚、全体制御装置１０は、ＣＰＵ１０ａ、ＲＯＭ１０ｂ、ＲＡＭ１０ｃ、入出力ポート（Ｉ／Ｏポート）１０ｄ及びこれらを結ぶバスライン１０ｅなどからなる周知のマイクロコンピュータにより構成されている。このような構成のデジタルカメラの一般的な動作については、周知の技術であるのでここでは省略する。
図２は本発明のデジタルカメラの第１の実施形態の動作を示すフローチャートである。まず操作卓２４より印刷要求があると（Ｓ１）、再生表示中の１画像ファイルの印刷か、外部記憶装置２１に蓄積されている全ての画像ファイルの印刷かを選択する操作を、操作卓２４よりの入力を待つ（Ｓ２）。ステップＳ２で全ファイル印刷の指定の場合、外部記憶装置２１に蓄積されている画像ファイルを取り出し（Ｓ３）、画像ファイルを通信Ｉ／Ｆ部２５を経由してプリンタ２に送信する（Ｓ４）。そして外部記憶装置２１に蓄積されている全ての画像ファイルの送信が終了したか否かをチェックし（Ｓ５）、未送信の画像ファイルがあれば、上記Ｓ３、Ｓ４の処理を繰り返す。
ステップＳ２で１ファイル印刷の指定の場合、現在再生表示中の画像を外部記憶装置２１から取り出し（Ｓ６）、画像ファイルを通信Ｉ／Ｆ部２５を経由してプリンタ２に送信する（Ｓ７）。
【０００９】
図３は本発明のデジタルカメラの第２の実施形態の動作を示すフローチャートである。まず操作卓２４より印刷要求があると（Ｓ１１）、再生表示中の１画像ファイルの印刷か、外部記憶装置２１に蓄積されている全ての画像ファイルの印刷かを選択する操作を、操作卓２４よりの入力を待つ（Ｓ１２）。ステップＳ１２で１ファイル印刷の指定の場合、該当画像データを１枚印刷として出力するためのレイアウト情報をプリンタ２に送信する（Ｓ１３）。そして現在再生表示中の画像を外部記憶装置２１から取り出し（Ｓ１４）、画像ファイルを通信Ｉ／Ｆ部２５を経由してプリンタ２に送信する（Ｓ１５）。
ステップＳ１２で全ファイル印刷の指定の場合、インデックス印刷、１コマ印刷、４コマ印刷・・・の選択画面が表示され、印刷レイアウトの選択待ちとなる（Ｓ２０）。レイアウトの選択を行うと、プリンタ２に対してレイアウト情報を送信する（Ｓ２１）。プリンタ２は指定されたレイアウトに従って印刷を行うこととなる。外部記憶装置２１に蓄積されている画像ファイルを取り出し（Ｓ２２）、画像ファイルを通信Ｉ／Ｆ部２５を経由してプリンタ２に送信する（Ｓ２３）。外部記憶装置２１に蓄積されている全ての画像ファイルの送信が終了したか否かをチェックし（Ｓ２４）、未送信の画像ファイルがあれば、上記Ｓ２２、Ｓ２３の処理を繰り返す。
【００１０】
図４は本発明のデジタルカメラの第３の実施形態の動作を示すフローチャートである。まず操作卓２４より印刷要求があると（Ｓ３０）、再生表示中の１画像ファイルの印刷か、外部記憶装置２１に蓄積されている全ての画像ファイルの印刷かを選択する操作を、操作卓２４よりの入力を待つ（Ｓ３２）。全ファイル印刷の指定の場合、インデックス印刷、１コマ印刷、４コマ印刷・・・の選択画面が表示され、印刷レイアウトの選択待ちとなる（Ｓ３２）。レイアウトの選択を行うと、外部記憶装置２１に蓄積されている全ての画像ファイルのサイズのトータルを算出する（Ｓ３３）。この値が、プログレスバー表示時の分母に使用する値となる。プログレスバーを含む送信中画面を表示する（Ｓ３４）。プリンタに対してレイアウト情報を送信する（Ｓ３５）。プリンタは指定されたレイアウトに従って印刷を行うこととなる。外部記憶装置２１に蓄積されている画像ファイルを取り出し（Ｓ３６）、画像ファイルのサイズを分子として上述の全ファイルサイズを分母として割合を算出し、プログレスバーの表示を更新する（Ｓ３７）。画像ファイルを通信Ｉ／Ｆ部２５を経由してプリンタに送信する（Ｓ３８）。外部記憶装置２１に蓄積されている全ての画像ファイルの送信が終了したか否かをチェックし（Ｓ３９）、未送信の画像ファイルがあれば、上記Ｓ３６、Ｓ３７、Ｓ３８の処理を繰り返す。
図５は本発明の操作画面遷移を示す図である。上述でフローチャートを元に実施例の説明を行ったが、この図では、実際の画面を元に実施例を説明する。再生モードで画像を表示しているときに（４００）、ダイレクトプリント要求キーを押下することで４０２画面へ遷移する。４０２画面で左キーを押下すると取り消し画面４０１に遷移し、右キーを押下すると全ファイル送信画面４０３に遷移する。４０２画面でＯＫキーを押下すると、直ぐにプリンタへ画像を送信する４０４画面へ遷移する。送信が完了すると、元の４００画面に遷移する。４０３画面でＯＫキーを押下すると、レイアウト選択画面４０５に遷移する。現在選択されているレイアウト情報が表示され、変更する場合は、右キーを押下して４０６画面で変更が可能である。４０５画面よりＯＫキーを押下すると全ての画像ファイルをプリンタへ送信することになる（４０７）。
【図面の簡単な説明】
【００１１】
【図１】本発明の一実施形態によるデジタルカメラのブロック図。
【図２】本発明のデジタルカメラの第１の実施形態の動作を示すフローチャート。
【図３】本発明のデジタルカメラの第２の実施形態の動作を示すフローチャート。
【図４】本発明のデジタルカメラの第３の実施形態の動作を示すフローチャート。
【図５】本発明の操作画面遷移を示す図。
【符号の説明】
【００１２】
１  デジタルカメラ、２  プリンタ、１０  全体制御装置、２１  外部記憶装置、２２  撮像装置、２３  表示装置、２４  操作卓、２５  通信Ｉ／Ｆ部
【図１】
2005151470.tif 000003
【図２】
2005151470.tif 000004
【図３】
2005151470.tif 000005
【図４】
2005151470.tif 000006
【図５】
2005151470.tif 000007